(57)【要約】【課題】  ロール紙の種類が変わっても規制ガイドの取付位置調整などを不要とし、且つ構造が簡単なロール紙供給機構を提供する  【解決手段】  ロール紙の軸穴に芯体を通し、前記芯体を、ロール紙の軸方向に下に凸の状態となるようにＵ字またはＶ字形状に形成する。ロール紙幅方向の中央の位置が芯体の最下点と一致するように、ロール紙の幅方向の位置が安定する。規制ガイドは固定されている。芯体を、ロール紙の軸方向に傾斜させることも可能である。【選択図】  図１
2008222336.tif 000002
【特許請求の範囲】
【請求項１】
ロール紙の軸穴に芯体を通したロール紙供給機構において、前記芯体を、ロール紙の軸方向に下に凸の状態となるようにＵ字またはＶ字形状に形成したことを特徴とするロール紙供給機構。
【請求項２】
ロール紙の軸穴に芯体を通したロール紙供給機構において、前記芯体を、ロール紙の軸方向に傾斜したことを特徴とするロール紙供給機構。
【請求項３】
ロール紙の下側を支持する支持板を備えたロール紙供給機構において、前記支持板を、ロール紙の軸方向に下に凸の状態となるようにＵ字またはＶ字形状に形成したことを特徴とするロール紙供給機構。
【請求項４】
ロール紙の下側を支持する支持板を備えたロール紙供給機構において、前記支持板を、ロール紙の軸方向に傾斜したことを特徴とするロール紙供給機構。
【請求項５】
前記支持板を、ロール紙の水平面の直径方向に下に凸の状態となるようにＵ字またはＶ字形状に形成したことを特徴とする、請求項３又は４に記載のロール紙供給機構。
【発明の詳細な説明】
【技術分野】
【０００１】
本発明は、現金自動取扱装置（ＡＴＭ）等に使用されるプリンタのロール紙供給機構に関し、特に、取引記録等を印字するジャーナル用紙のプリンタや、顧客へ送付する明細票のプリンタ等に使用されるロール紙供給機構に関する。
【背景技術】
【０００２】
ロール紙状の用紙媒体を取扱うロール紙供給機構の従来方式には下記のものがある。
【０００３】
第１の方式は、ロール紙をホッパにセットした状態でロール紙が幅方向に移動しないように、あらかじめロール紙の幅よりやや広めの間隔を有する２つの規制ガイドを設置する方式である。ロール紙は、この２つの規制ガイドにより幅方向に移動することが規制される。
【０００４】
第２の方式は、ロール紙の軸穴に芯を挿入し、芯の左右両端部をホッパに引っ掛けてセットし、ロール紙の幅よりやや広めの間隔を有する２つの規制ガイドを芯の左右に設ける方式である。この方式でも、ロール紙は、この２つの規制ガイドにより幅方向に移動することが規制される。
【０００５】
第３の方式は、ロール紙を設置するホッパの下部に、円錐状のコーンローラと円筒ローラを同軸に設けて、ロール紙の左右端のいずれか一方をコーンローラのローラ面（斜面）に当てることで該ロール紙を片側に寄せる方式である。この方式では、ロール紙の幅が異なっていてもロール紙の左右端のいずれか一方がコーンローラの斜面に当たるために、幅の異なるロール紙が使用可能となる（特許文献１）。
【特許文献１】特開昭５９-１２０３６号公報
【発明の開示】
【発明が解決しようとする課題】
【０００６】
ところが、上記第１、第２の方式では、いずれも、ロール紙の両端が規制ガイドで規制されてロール紙のガタつきが防止されるが、幅が異なるロール紙を使用する場合に、規制ガイドを別のものに取り替えたり、規制ガイドの取付位置を調整する必要がある。このため、用途に応じて、又は、機種毎に異なった幅のロール紙を使用する必要がある場合に、作業性が煩雑となり、且つ、複数種類の規制ガイドやホッパを用意しておく必要があるため、コストが上昇する不都合があった。
【０００７】
また、上記第３の方式では、上記不都合はないものの、使用可能なロール紙の幅がコーンローラの寸法により限られるうえ、コーンローラとガイドローラが必要なため、高価になってしまう問題がある。
【０００８】
本発明の目的は、ロール紙の種類が変わっても規制ガイドの取付位置調整などを不要とし、且つ構造が簡単なロール紙供給機構を提供することにある。
【課題を解決するための手段】
【０００９】
本発明は、ロール紙の軸穴に芯体を通したロール紙供給機構において、前記芯体を、ロール紙の軸方向に下に凸の状態となるようにＵ字またはＶ字形状に形成したことを特徴とする。
【００１０】
また、前記芯体を、ロール紙の軸方向に傾斜したことを特徴とする。傾斜は単純傾斜である。
【００１１】
上記の構成にあるため、ロール紙は自重で芯体に沿って移動する。芯体を、ロール紙の軸方向に下に凸の状態となるようにＵ字またはＶ字形状に形成した構成では、ロール紙はその幅の中心が芯体の中心（Ｕ字またはＶ字の最下点）に一致するように、その位置が自動的に決まる。ロール紙の幅の中心が芯体の中心からズレていると、ロール紙は自重により芯体を滑って移動し、最終的にはその幅の中心が芯体の中心（Ｕ字またはＶ字の最下点）に一致する。芯体を、ロール紙の軸方向に傾斜した構成では、ロール紙は、ロール紙の端部が芯体の最下点に位置する規制ガイドに当たるまで、自重により芯体の最下点に向かって滑り落ちる。
【００１２】
したがって、ロール紙の幅にかかわらず、前者の構成では、芯体の中心がロール紙の基準（幅の中心）に一致し、後者の構成では、芯体の一端がロール紙の基準（ロール紙の端部）に一致する。いずれの場合も、ロール紙の幅が変わったときに規制ガイドの取付位置の調整は不要である。また、ロール紙の基準が所定位置に設定されると、その後、ロール紙が幅方向にズレることはない。ズレようとしても自動的に元の位置（所定位置）に戻るからである。
【００１３】
上記芯体をＵ字またはＶ字形状に形成するのに代えて、ロール紙の下側を支持する支持板を、ロール紙の軸方向に下に凸の状態となるようにＵ字またはＶ字形状に形成することも可能である。また、上記芯体をロール紙の軸方向に傾斜するのに代えて、ロール紙の下側を支持する支持板を、ロール紙の軸方向に傾斜させることも可能である。
【００１４】
また、ロール紙の支持を安定化させるために、前記支持板を、ロール紙の水平面の直径方向に下に凸の状態となるようにＵ字またはＶ字形状に形成しても良い。
【発明の効果】
【００１５】
本発明によれば、セットするロール紙の種類が変わっても規制ガイドの取付位置調整をする必要がなく、ロール紙の基準（ロール紙の幅の中心、又はロール紙の端部）が自動的に所定位置に設定される。また、ロール紙は、その所定位置からズレることもない。
【発明を実施するための最良の形態】
【００１６】
図１は、本発明の第１の実施形態であるロール紙供給機構の概略側面図である。図２は、上記ロール紙供給機構を使用したジャーナルプリンタの概略正面図である。
【００１７】
図１において、ロール紙１には、軸孔３が設けられている。ロール紙供給機構は、ロール紙１の幅方向（図の左右方向）の両端部に設けた規制ガイド５、７と、その規制ガイド５、７間に設けた芯体９とを備えている。芯体９は、ロール紙１の軸方向に下に凸の状態となるようにＵ字形状に形成されていて、軸孔３を通っている。また、芯体９は、その両端部が公知の構造により規制ガイド５、７に着脱自在に取り付けられている。典型的には、規制ガイド５、７の内側面に引っ掛け部を設け、芯体９は、その両端部を引っ掛け部に引っ掛けることで取り付けられる。なお、芯体９は、Ｖ字形状であっても良い。規制ガイド５、７間の間隔Ｌは、複数種類のロール紙のうち、最長幅のロール紙１の幅Ｌ１よりも長く設定される。ロール紙１の左端部と規制ガイド７間の距離はΔＬである。ロール紙１の右端部と規制ガイド５間の距離もΔＬである。ΔＬは、ロール紙１の幅が短くなるほど長くなる。ΔＬは、ロール紙１が最長幅のものであっても、十分なクリアランスである。
【００１８】
芯体９が当接する軸孔３の両端部分は、芯体９との滑りが良くなるように形状を工夫することも可能である。例えば、軸孔３の両端部分を内側から外側に向けて広がるようなテーパ形状に加工する。
【００１９】
図２において、ロール紙１は、上部が開口した箱状のロール紙ホッパ１１内で、芯体９を軸孔３に通すことにより保持されている。規制ガイド５、７は、ロール紙ホッパ１１の紙面に向かって前面と背面に設けられており、それらのガイド５、７はホッパ１１に一体的に設けられている。ロール紙１からは用紙が送り出され、用紙取込口ガイド１３とプラテンローラ１５に接してスプール１７に搬送されていく。プラテンローラ１５には用紙を介して印字ヘッド１９が圧接している。プラテンローラ１５に回転力を付与するための用紙搬送モータ２１が設けられ、これらの間にはベルト２３が架けられている。このため、用紙搬送モータ２１が駆動されると、プラテンローラ１５に回転力が与えられ、このプラテンローラ１５に接している用紙が摩擦力により搬送される。プラテンローラ１５で搬送されていく用紙に対しては、印字ヘッド１９により所定の情報が印字される。また、プラテンローラ１５により搬送される用紙はスプール１７に巻かれていく。スプール１７には、ギア群１９により矢印方向の回転力が付与されていて、ギア群１９には図示しないモータから回転力が与えられている。このため、このモータが回転することにより、プラテンローラ１５で搬送される印字済みの用紙は、たわみのない状態でスプール１７に巻き付けられていく。
【００２０】
上記の構成で、ロール紙ホッパ１１内に、ロール紙１を取り付けるときは、ロール紙１の軸孔９に芯体９を通して、芯体９の両端を規制ガイド５、７に取り付ける。このとき、図１に示すよう、芯体９はＵ字形状であるため、芯体９のＵ字の最下点は、ロール紙１の幅の中心と一致する。すなわち、ロール紙１が図１に示す位置から右方向、又は左方向にずれた位置にあったとしても、ロール紙１の自重により軸孔３と芯体３との接触点が滑って、図１に示す位置に移動して安定する。図１では、ロール紙１の基準（位置）がロール紙幅の中心位置となり、この基準が芯体９の中心と一致する。この関係は、ロール紙１を幅の短いロール紙１に取り替えた場合であっても同じである。また、ロール紙１を使用している最中でも、安定してロール紙１の基準が芯体９の中心と一致している。このため、ロール紙１のガタつきは起きない。
【００２１】
なお、芯体９は、Ｖ字状の形状を有するものであっても良い。また、芯体９は、予めＵ字又はＶ字状の形状を有するものであっても良いが、適度な弾性力を有するプラスチック等の弾性体で構成し、ロール紙１の重さで撓むことによりＵ字状になるものであっても良い。
【００２２】
図３は、本発明の第２の実施形態であるロール紙供給機構の構成図である。
【００２３】
構成において、第１の実施形態と相違する点は、Ｕ字状の芯体９に代えて、棒状でロール紙１の軸方向に傾斜した芯体２５を用いた点である。芯体２５は金属や硬質のプラスチックなど、ロール紙１の重さによって撓まない剛体で構成され、図３の左側の規制ガイド７と右側の規制ガイド５間で、右下方向に一直線に傾斜している。芯体２５の両端部は、公知の構造により規制ガイド５、７に取り付けられる。
【００２４】
芯体２５がロール紙１の軸孔３に通されていることから、ロール紙１は、そのロール紙幅の長さにかかわらず、右端部が右側の規制ガイド５に当接する位置で安定する。すなわち、ロール紙１の右端部が基準（位置）となり、この基準が規制ガイド５の位置に一致する位置関係でロール紙１が安定する。
【００２５】
図４は、本発明の第３の実施形態を示す。
【００２６】
この実施形態のロール紙供給機構は、芯体を使用しない。
【００２７】
ロール紙ホッパ１１の底板であってロール紙１の下側を支持する支持板２７は、ロール紙１の軸方向に下に凸の状態となるようにＶ字形状に形成している。このように構成することでも、図１に示す構成と同様に、ロール紙１はロール紙幅の中央が基準（位置）となって、この基準が支持板２７のＶ字の最下点の位置に一致する位置関係でロール紙１が安定する。
【００２８】
図５は、本発明の第４の実施形態を示す。
【００２９】
構成において、第３の実施形態と相違する点は、Ｖ字形状の支持板２７に代えて、ロール紙１の軸方向に傾斜した支持板２９を設けた点である。このように構成することでも、図３に示す構成と同様に、ロール紙１は幅の右端部が基準（位置）となって、この基準が右側の規制ガイド５に一致する位置関係でロール紙１が安定する。
【００３０】
図６は、本発明の第５の実施形態を示す。
【００３１】
この実施形態のロール紙供給機構は、図４又は図５に示す構成に加えて、ロール紙１の前後を支持する支持板３１を設けている。また、この支持板３１を、ロール紙１の水平面の直径方向に下に凸の状態となるようにＶ字形状に形成している。ロール紙１の軸孔には芯体を通していない。したがって、ロール紙１は、その前後面が支持板３１の前後部で支持される。このように構成することで、ロール紙１は前後方向に支持された状態で、左右方向の位置が安定する。このため、用紙のガタつき防止がより一層効果的となる。なお、支持板３１をＵ字形状にすることも可能である。
【産業上の利用可能性】
【００３２】
金融機関に使用される現金自動取引装置に搭載される明細票取扱装置、ジャーナル取扱装置、家庭用に使用されるファックス等のプリンタに適用可能である。
【図面の簡単な説明】
【００３３】
【図１】本発明の第１の実施形態のロール紙供給機構の概略側面図
【図２】上記ロール紙供給機構を使用したジャーナルプリンタの概略正面図
【図３】本発明の第２の実施形態のロール紙供給機構の概略側面図
【図４】本発明の第３の実施形態のロール紙供給機構の概略側面図
【図５】本発明の第４の実施形態のロール紙供給機構の概略側面図
【図６】本発明の第５の実施形態のロール紙供給機構を使用したジャーナルプリンタの概略正面図
【符号の説明】
【００３４】
１−ロール紙
３−軸孔
５、７−規制ガイド
９、２５−芯体
２７、２９−支持板
【図１】
2008222336.tif 000003
【図２】
2008222336.tif 000004
【図３】
2008222336.tif 000005
【図４】
2008222336.tif 000006
【図５】
2008222336.tif 000007
【図６】
2008222336.tif 000008